(57)【特許請求の範囲】
【請求項１】
熱交換器及び送風機を収容した筐体の吹出口に、風向変更用の縦羽根及び横羽根、並びにファンガードを備えた壁掛け型空気調和装置において、
前記ファンガードが、前記吹出口の長手方向に延びる複数本のワイヤーと、これらワイヤーの両端を束ねる一対の支持体とを備え、
前記ファンガードが、前記複数本のワイヤーを、縦羽根と横羽根との間の空間内に延在させて、一対の前記支持体を、前記吹出口内に固定して取り付けられ、
前記吹出口の上縁部及び下縁部間に支柱が掛け渡され、前記支柱には前記横羽根の軸を支持する支持穴と前記複数本のワイヤーが係止される受け溝とが設けられ、
前記受け溝は前記支柱の前縁に形成され、上側に位置する前記受け溝には下方から前記ワイヤーを入れて前方へ押し込むことで前記ワイヤーが嵌め込まれ、下側の前記受け溝には、前方から前記ワイヤーが押し込まれて嵌め込まれ、前記ワイヤーを把持することを特徴とする壁掛け型空気調和装置。
【請求項２】
前記受け溝は、前記支持穴よりも奥に位置し、前記ワイヤーを前記横羽根より後方で把持し、前記ファンガードは、前記複数本のワイヤーが、前記支持穴よりも奥で、かつ、前記縦羽根よりも前に位置するように取り付けられることを特徴とする請求項１記載の壁掛け型空気調和装置。
【請求項３】
前記支持体は、前記吹出口の上縁部と下縁部との間に、前記上縁部または前記下縁部の少なくともいずれかを弾性変形させて取り付けられることを特徴とする請求項１または２記載の壁掛け型空気調和装置。
【請求項４】
前記支持体の上端または下端のいずれか一方には突起が形成され、他方には板状部が形成され、
前記吹出口の上縁部または下縁部のいずれか一方には前記突起に係合する穴が形成され、他方には前記板状部を支持する受け部が形成されたことを特徴とする請求項３記載の壁掛け型空気調和装置。
【請求項５】
前記縦羽根に、前記ワイヤーの上下いずれか、若しくは上下両方向の移動を規制するワイヤー受け部を設けたことを特徴とする請求項１から４のいずれかに記載の壁掛け型空気調和装置。
【発明の詳細な説明】
【技術分野】
【０００１】
本発明は、ファンガードを備えた壁掛け型空気調和装置に関する。
【背景技術】
【０００２】
従来、空気調和装置において、室内機の吹出口から手を入れられないようにするため、吹出口にファンガードを備えたものが知られている（例えば、特許文献１参照）。このファンガードは、吹出口の長手方向に沿ってワイヤーを延設して構成され、このワイヤーを、例えばその両端や中央部において支持している。ファンガードは、外力が加わっても室内機の吹出口に手を入れられない状態を保つことが望まれるため、特許文献１に記載の構成では、複数のワイヤーの両端を空気調和装置に設けられた支持部に差し込んで取り付ける構成となっており、さらに、ワイヤーを挟み込むスペーサーを取り付けている。
【先行技術文献】
【特許文献】
【０００３】
【特許文献１】特許第４２８５５８６号公報
【発明の概要】
【発明が解決しようとする課題】
【０００４】
しかしながら、従来のファンガードは、外力に抗してワイヤーを支持するために複雑な構造を採用していたため、製造工数が多く、生産効率の向上や低コスト化が難しかった。
本発明は、上述した事情に鑑みてなされたものであり、ファンガードを備えた空気調和装置において、ファンガードのワイヤーを外力に抗して支持することができ、かつ、容易に取り付け可能な構成を提供することを目的とする。
【課題を解決するための手段】
【０００５】
上記目的を達成するために、本発明は、熱交換器及び送風機を収容した筐体の吹出口に、風向変更用の縦羽根及び横羽根、並びにファンガードを備えた壁掛け型空気調和装置において、前記ファンガードが、前記吹出口の長手方向に延びる複数本のワイヤーと、これらワイヤーの両端を束ねる一対の支持体とを備え、前記ファンガードが、前記複数本のワイヤーを、縦羽根と横羽根との間の空間内に延在させて、一対の前記支持体を、前記吹出口内に固定して取り付けられ、前記吹出口の上縁部及び下縁部間に支柱が掛け渡され、前記支柱には前記横羽根の軸を支持する支持穴と前記複数本のワイヤーが係止される受け溝とが設けられ、前記受け溝は前記支柱の前縁に形成され、上側に位置する前記受け溝には下方から前記ワイヤーを入れて前方へ押し込むことで前記ワイヤーが嵌め込まれ、下側の前記受け溝には、前方から前記ワイヤーが押し込まれて嵌め込まれ、前記ワイヤーを把持することを特徴とする。
この構成によれば、吹出口の長手方向に延びるワイヤーを一対の支持体により束ね、この支持体が吹出口内にワンタッチで取り付けられるので、ファンガードを吹出口に容易に取り付けることができる。また、ワイヤーを縦羽根と横羽根との間の空間に延在させることにより、外力によってワイヤーを脱落させ、或いは吹出口の奥や手前に移動させることが難しくなっているので、ワイヤーを外力に抗して支持し、吹出口に手を入れられない状態を保つことができる。
また、この場合、吹出口の上縁部及び下縁部間に掛け渡される支柱の受け溝に、ワイヤーが係止されるので、ワイヤーを、外力に抗してより強く支持できる。また、この場合、支柱の受け溝に対して前面側からワイヤーを係止させることができるので、ファンガードをより容易に取り付けることができる。
【０００６】
上記構成において、前記受け溝は、前記支持穴よりも奥に位置し、前記ワイヤーを前記横羽根より後方で把持し、前記ファンガードは、前記複数本のワイヤーが、前記支持穴よりも奥で、かつ、前記縦羽根よりも前に位置するように取り付けられてもよい。
【０００８】
さらに、上記構成において、前記支持体は、前記吹出口の上縁部と下縁部との間に、前記上縁部または前記下縁部のいずれか一方を弾性変形させて取り付けられる構成としてもよい。
この場合、支持体を吹出口に容易にワンタッチで取り付けることが可能であり、取り付け後は上縁部または下縁部の弾性力により確実に支持体を固定できる。
【０００９】
さらにまた、上記構成において、前記支持体の上端または下端のいずれか一方には突起が形成され、他方には板状部が形成され、前記吹出口の上縁部または下縁部のいずれか一方には前記突起に係合する穴が形成され、他方には前記板状部を支持する受け部が形成された構成としてもよい。
この場合、吹出口の上縁部または下縁部を弾性変形させて、支持体を吹出口に容易にワンタッチで取り付けることができる。
【００１０】
また、上記構成において、前記縦羽根に、前記ワイヤーの上下いずれか、若しくは上下両方向の移動を規制するワイヤー受け部を設けてもよい。
この場合、縦羽根によってワイヤーの上下いずれか、若しくは上下両方向の移動が規制されるので、ワイヤーを外力に抗してより確実に支持し、吹出口に手を入れられない状態を保つことができる。
【発明の効果】
【００１１】
本発明によれば、ファンガードを吹出口に容易に取り付けることができ、取り付け後はワイヤーを外力に抗して支持し、吹出口の内部に位置する送風機（クロスフローファン）に手を入れられない状態を保つことができる。
【図面の簡単な説明】
【００１２】
【図１】本発明の実施形態に係る壁掛け型空気調和装置の断面図である。
【図２】壁掛け型空気調和装置の分解斜視図である。
【図３】壁掛け型空気調和装置の外観斜視図である。
【図４】ファンガードの構成を示す斜視図である。
【図５】ファンガードの取り付け方法を示す要部斜視図である。
【図６】ファンガードの取り付け方法を示す要部斜視図である。
【図７】ワイヤーの支持構造を示す要部拡大断面視図である。
【発明を実施するための形態】
【００１３】
以下、図面を参照して本発明の実施形態について説明する。
図１は本発明を適用した実施の形態に係る壁掛け型空気調和装置１の断面図であり、図２は壁掛け型空気調和装置１の分解斜視図である。
壁掛け型空気調和装置１は、断面略Ｃ字状に形成されたフィンアンドチューブ型の熱交換器２をフレーム３に配設し、この熱交換器２の内側に送風機（クロスフローファン）４を配置して構成され、熱交換器２にはグリル１０を被せられる。フレーム３は樹脂成形により断面略Ｌ字状に形成された部材であり、熱交換器２から流下するドレン水を受けるドレンパン３１、及び、送風機４を収容するスクロール部３２を備え、フレーム３の背面には、据付板５０の係止爪５１を受ける凹部が形成されている。このフレーム３及びグリル１０によって壁掛け型空気調和装置１の筐体が構成される。
フレーム３と据付板５０、及び、フレーム３とグリル１０とは互いにビスにより連結され、ビス止め作業を行うためのサービスホール１５がグリル１０の下面に開口している。サービスホール１５は、通常使用時においてはビスキャップ１４により塞がれている。
【００１４】
送風機４はいわゆるクロスフローファンで構成され、フレーム３に設けられた舌部４８とスクロール部３２との間に収められ、送風機４の両端が、ベアリング４３を有する軸受け部４４と、軸受け部４５とを介してフレーム３により支持される。
送風機４の一端にはファンモーター４６が連結され、ファンモーター４６が、軸受け４７を介してフレーム３に取り付けられている。より詳細に説明すると、送風機４の一端には、ファンモーター４６の出力軸が挿入される穴４１が設けられ、この穴４１に挿入されたファンモーター４６の出力軸は、送風機４の側面から螺入されるセットスクリュー４２によって、送風機４に固定される。また、ファンモーター４６の側方には電装ボックス５５が配置される。
フレーム３の背面側の下部には、冷媒配管やドレン管を収容するための長手形状の空間である配管収容部３３が形成され、配管収容部３３内の上記配管を押さえ込む配管押え５２、５３が取り付けられる。
【００１５】
グリル１０には上面吸込口１１及び前面吸込口１２が開口し、前面吸込口１２を覆うように前面パネル１６が取り付けられる。
送風機４は、上面吸込口１１及び前面吸込口１２から熱交換器２を介して室内空気を吸い込み、熱交換器２において熱交換された空気を、スクロール部３２と舌部４８との間の空間を通じて、壁掛け型空気調和装置１の下面に開口する吹出口１３から被調和室内に吹き出す。
吹出口１３には風向変更用の横羽根としての２枚のフラップ６０、６０が設けられる。フラップ６０はフラップ軸６１を有し、このフラップ軸６１を中心として上下に回動する。２枚のフラップ６０、６０は、フラップ駆動モーター６３によって連動して駆動され、吹出口１３を開閉するとともに、吹出口１３からの風向を上下方向において設定する。
【００１６】
また、スクロール部３２の出口側には、風向変更用の複数の縦羽根８５が並べて配置されている。縦羽根８５は、複数枚（本実施形態では５枚）が一組となって、スクロール部３２の裏側でリンク部材８７により連結される。縦羽根８５は、縦羽根駆動モーター（不図示）に連結され、この縦羽根駆動モーターの動作または操作レバー８６の操作に応じて、左右に向きを変える。
そして、縦羽根８５とフラップ６０との間に、ファンガード７０が設けられている。ファンガード７０は、吹出口１３の長手方向に沿って、互いに平行に掛け渡された２本のワイヤー７１、７１と、これらワイヤー７１、７１の端を束ねる支持体７２、７３とを備えて構成される。ファンガード７０は、ワイヤー７１、７１によって、吹出口１３の奥へ手を差し入れることができないようにする。
【００１７】
図３は壁掛け型空気調和装置１を下方から見た斜視図である。なお、この図３においては理解の便宜のためにフラップ６０の図示を省略する。
ファンガード７０の支持体７２は、長手形状の吹出口１３の一端側に取り付けられ、吹出口１３の他端側には支持体７３が取り付けられる。
また、吹出口１３には、長手方向に三等分するように、フラップ６０を支持する２つの支柱６５が設けられる。支柱６５は、吹出口１３の上縁部１３ａと下縁部１３ｂとの間に掛け渡され、２枚のフラップ６０、６０のフラップ軸６１、６１が差し込まれる２つの支持穴６６、６６を有する。吹出口１３の両端には、それぞれ、フラップ６０を取り付けるためのフラップ支持部６８が設けられ、これら２つのフラップ支持部６８の各々は、２枚のフラップ６０、６０のフラップ軸６１、６１が差し込まれる支持穴６９、６９が形成される。つまり、フラップ６０は、２つの支柱６５及び２つのフラップ支持部６８により、回動可能に支持される。そして、ファンガード７０は、ワイヤー７１が、フラップ６０が取り付けられる支持穴６６、６９よりも奥で、かつ、縦羽根８５よりも前に位置するように取り付けられる。
【００１８】
図４は、ファンガード７０の構成を示す斜視図である。
ファンガード７０の両端に位置する支持体７２、７３は、柱状の本体に、２本のワイヤー７１の端部がそれぞれ差し込まれる２つの端部受け７４を有する。柱状の本体の上端には上当接板７５が形成され、平板状の上当接板７５の上面には突起７６が立設され、本体の下端には下当接板７７が形成されている。
【００１９】
図５及び図６はファンガード７０の取り付け方法を示す要部斜視図であり、特に、吹出口１３への支持体７２の取り付け方法を示す。図５及び図６は、いずれも吹出口１３の右側端部を図示している。図５及び図６に示す状態では、支持体７２は取り付け位置に固定されておらず、図５中には取り付け後のワイヤー７１、７１の位置を破線で示す。
【００２０】
図５に示すように、吹出口１３の上縁部１３ａには、支持体７２の取り付け位置に、突起７６を係合可能な受け穴１３ｃ(穴)が穿設されている。
一方、図６に示すように、受け穴１３ｃのほぼ直下に相当する位置において、下縁部１３ｂには下当接板７７の外形に合わせて支持枠１３ｄ（受け部）が設けられている。支持枠１３ｄは、下当接板７７を嵌合可能な枠であり、この支持枠１３ｄに嵌め込まれた下当接板７７は、水平方向に移動しないよう固定される。
【００２１】
これら図５及び図６を参照して、支持体７２の取り付け手順を説明する。なお、支持体７３は支持体７２と左右対称に構成されるため、以下の説明と同様の手順により取り付け可能である。
まず、支持体７２の上当接板７５を吹出口１３に差し入れて、突起７６を受け穴１３ｃ（図５）に嵌合させる。次いで、支持体７２の下部を回動させて下当接板７７を吹出口１３に入れ、支持枠１３ｄ（図６）にあてがう。
ここで、支持体７２の上部を押し上げ、或いは、支持体７２とともに上縁部１３ａを押し上げて、上縁部１３ａを押圧すると、上縁部１３ａが撓んで支持体７２が上がる。ここで下当接板７７を支持枠１３ｄに入れこみ、上縁部１３ａを押圧する力を解くと、上縁部１３ａが復元し、上縁部１３ａと下縁部１３ｂとの間に支持体７２が固定される。支持体７２は、上部においては突起７６が受け穴１３ｃに入り込み、下部においては下当接板７７が支持枠１３ｄに入り込んでおり、これを離脱させるためには上縁部１３ａと下縁部１３ｂとの間隔を拡げなくてはならない。このため、ファンガード７０は、ワンタッチで簡単に取り付け可能である上に、容易に脱落しないよう保持される。
【００２２】
図１に示すように、上縁部１３ａはドレンパン３１の下方（裏側）にあり、フレーム３の強度を確保するための構造（例えば、舌部４８の周辺や据付板５０の係止爪５１を受ける凹部等）から離れている。このため、上縁部１３ａは、フレーム３の他の箇所に比べ、比較的、押圧力によって弾性変形しやすい。このため、支持体７２を上縁部１３ａに押し当てて上縁部１３ａを上方に押圧すると、所定以上の押圧力によって、下当接板７７を支持枠１３ｄに収めることができる。
また、図４及び図５に示すように、突起７６は前側が後方側より高い形状になっているため、突起７６を受け穴１３ｃから離脱させるためには、上縁部１３ａを押圧して、上縁部１３ａを取り付け時より大きく変形させる必要がある。このため、支持体７２を取り外す場合には、より大きな力が必要となる。つまり、取り付けが容易で、かつ脱落しにくい構造となっている。支持体７３についても同様である。
一方、送風機４のメンテナンス等で吹出口１３から工具等を差し入れる必要がある場合には、上縁部１３ａを強く押し上げることで支持体７２、７３を取り外すことが可能である。このように、ファンガード７０は、メンテナンス等の妨げにならず、取り付けが容易で、かつ、脱落しにくい、有用な構成となっている。
【００２３】
このように取り付けられるファンガード７０は、支持体７２、７３とともに、支柱６５と縦羽根８５とによって、支持される。
図１及び図５に示すように、縦羽根８５の前縁には、後方に切れ込んだ２つの受け部８５ａ、８５ｂが形成されている。受け部８５ａは、ワイヤー７１が収まる大きさの曲線を描いて後方に凹となっており、ワイヤー７１の上下において前方に張り出している。また、受け部８５ｂも同様に、ワイヤー７１が収まる大きさの凹状の曲線を描き、ワイヤー７１の上において前方に張り出している。このため、図１に示すように、受け部８５ａにワイヤー７１が収まった状態では、ワイヤー７１を上下に移動すると受け部８５ａの張り出しに当接する。受け部８５ｂにおいても、ワイヤー７１を上に移動すると受け部８５ｂの張り出しに当接する。従って、縦羽根８５によって、ワイヤー７１を上下に動かせないように制限されている。さらに、図１に示すように受け部８５ａ、８５ｂに収まったワイヤー７１、７１は、いずれも後方に押し込まれた場合に縦羽根８５に当接する。このため、縦羽根８５によって、ワイヤー７１が後方に押し込まれないように規制されている。
【００２４】
図７は、ワイヤー７１の支持構造を示す要部拡大断面視図であり、特に、吹出口１３に設けられる支柱６５の側面を示す。
この図７に示すように、支柱６５の前縁には、２本のワイヤー７１、７１を係合可能な受け溝６７ａ、６７ｂが形成されている。受け溝６７ａ、６７ｂは、支柱６５において吹出口１３の前側に露出し、吹出口１３の前側からワイヤー７１、７１を挿入できる。このため、上述した手順で支持体７２、７３を吹出口１３に取り付ける際に、ワイヤー７１、７１を受け溝６７ａ、６７ｂに容易にセットできる。
【００２５】
受け溝６７ａ、６７ｂは支持穴６６よりも奥に位置し、ワイヤー７１をフラップ６０より後方で把持する。上側に位置する受け溝６７ａには、下方からワイヤー７１を入れて前方へ押し込むことで嵌め込み可能である。また、下側の受け溝６７ｂには、前方からワイヤー７１を押し込むことで嵌め込み可能である。受け溝６７ａ、６７ｂに嵌め込まれたワイヤー７１、７１は、上記と逆の方向に所定以上の力が加わらなければ、脱落しない。この構成により、ワイヤー７１、７１は、前後及び上下に容易に移動しないよう、支柱６５によって保持される。
【００２６】
このように、ワイヤー７１、７１は、支持体７２、７３及び支柱６５によって、前後上下に移動しないよう保持されるとともに、縦羽根８５によって、後方及び上下への移動が規制される。このため、ワイヤー７１を吹出口１３の奥に押し込むことも、ワイヤー７１を移動させることで複数のワイヤー７１、７１どうしの間隔を押し拡げることはできず、同様にワイヤー７１と吹出口１３の上縁部１３ａとの間隔及びワイヤー７１と下縁部１３ｂとの間隔のいずれも拡大することはできない。従って、本実施の形態の構成は、吹出口１３への手の差し入れを阻止するファンガード７０としての機能を十分に満足する。
【００２７】
以上説明したように、本発明を適用した実施の形態に係る壁掛け型空気調和装置１によれば、熱交換器２及び送風機４を収容した筐体の吹出口１３に、風向変更用の縦羽根８５及びフラップ６０、並びにファンガード７０を備えた壁掛け型空気調和装置１において、ファンガード７０が、吹出口１３の長手方向に延びるワイヤー７１、７１と、これらワイヤー７１、７１の両端を束ねる一対の支持体７２、７３とを備え、ファンガード７０が、複数本のワイヤー７１、７１を、縦羽根８５とフラップ６０との間の空間内に延在させて、一対の支持体７２、７３を、吹出口１３内にワンタッチで固定して取り付けられているので、ファンガード７０をワンタッチで吹出口１３に容易に取り付けできる。また、ワイヤー７１、７１を縦羽根８５とフラップ６０との間の空間に延在させることにより、外力によってワイヤー７１、７１を脱落させ、或いは吹出口１３の奥や手前にワイヤー７１、７１を移動させることが難しいので、ワイヤー７１、７１を外力に抗して支持し、吹出口１３に手を入れられない状態を保つことができる。
すなわち、支持体７２、７３を吹出口１３に取り付ける場合には、支持体７２、７３の上部を上縁部１３ａに当てて支持体７２、７３ごと上縁部１３ａを押し上げ、支持体７２、７３の下部を回動させて支持枠１３ｄに下当接板７７を入れるという一連の、ワンタッチで済む動作を行えばよい。
【００２８】
また、吹出口１３の上縁部１３ａと下縁部１３ｂとの間に支柱６５が掛け渡され、この支柱６５に設けられた受け溝６７ａ、６７ｂにワイヤー７１、７１が係止されるので、ワイヤー７１、７１が上下や側方に移動しないよう固定される。このため、ワイヤー７１、７１間の間隔を拡げることができず、また、ワイヤー７１、７１と上縁部１３ａまたは下縁部１３ｂとの間隔を拡げることもできないので、吹出口１３に手を入れられない状態をより確実に保つことができる。
さらに、支柱６５の受け溝６７ａ、６７ｂが、吹出口１３の前面側に露出するので、支柱６５の受け溝６７ａ、６７ｂに対して前面側からワイヤー７１、７１を係止させることができるので、ファンガード７０をより容易に取り付けることができる。
さらにまた、支持体７２、７３は、吹出口１３の上縁部１３ａと下縁部１３ｂとの間に、上縁部１３ａを弾性変形させて取り付けられるので、吹出口１３に容易にワンタッチで取り付けることが可能であり、取り付け後は上縁部１３ａの弾性力により確実に支持体７２、７３を固定できる。
【００２９】
また、支持体７２、７３の上端には突起７６が形成され、下端には下当接板７７が形成され、吹出口１３の上縁部１３ａに突起７６に係合する受け穴１３ｃが形成され、下縁部１３ｂには下当接板７７を支持する支持枠１３ｄが形成されているので、上縁部１３ａを弾性変形させて支持体７２、７３をより容易に、例えば片手で支持体７２、７３の一方を持ち、ワンタッチの動作で取り付けることができる。また、取り付け後は上縁部１３ａの弾性により突起７６が受け穴１３ｃに入り込み、かつ、下当接板７７が支持枠１３ｄから容易に脱落しないよう保持されているので、ファンガード７０が確実に固定できる。
【００３０】
さらに、縦羽根８５に、ワイヤー７１、７１の上下いずれか、若しくは上下両方向の移動を規制する受け部８５ａ、８５ｂを設けたことにより、ワイヤー７１、７１を上下に移動させてワイヤー７１、７１間の間隔を拡げることも、ワイヤー７１、７１と上縁部１３ａまたは下縁部１３ｂとの間隔を拡げることもできなくなるので、吹出口１３に手を入れられない状態をより確実に保つことができる。
【００３１】
なお、上記実施の形態は本発明を適用した一態様を示すものであって、本発明はこれに限定されない。例えば、支柱６５に設けられた受け溝６７ａ、６７ｂは、ワイヤー７１を通過させることが可能な幅の溝として説明したが、本発明はこれに限定されるものではなく、がワイヤー７１の径より狭い部分を有し、この部分にワイヤー７１を押し込むことにより、支柱６５の弾性によってワイヤー７１を脱落しないよう把持する構成としてもよい。また、縦羽根８５に形成された受け部８５ａ、８５ｂの奥深い位置にワイヤー７１、７１が配置され、受け部８５ａ、８５ｂによってワイヤー７１、７１の上下両方向の移動が制限される構成としてもよい。
【００３２】
また、上記実施の形態においては、壁掛け型空気調和装置１の下面に開口する吹出口１３にファンガード７０を設けた構成を例に挙げて説明したが、本発明はこれに限定されるものではなく、例えば、空気調和装置の前面に開口する吹出口にファンガード７０を設けることも可能である。さらに、ファンガード７０を構成する支持体７２、７３は左右対称でなくてもよく、支持体７２、７３の取り付け位置は、概ね吹出口１３の端部であればよく、図３、図５及び図６に示したように吹出口１３の末端でなくてもよい。また、ワイヤー７１、フラップ６０や縦羽根８５の数も任意であり、壁掛け型空気調和装置１の具体的な細部構成については、任意に変更可能である。
また、上記実施形態においては、壁掛け型空気調和装置１に本発明を適用した例について説明したが、本発明はこれに限らず、天井埋込型空気調和装置や、天井吊下型空気調和装置にも適用可能である。
【符号の説明】
【００３３】
１  壁掛け型空気調和装置
２  熱交換器
３  フレーム（筐体）
４  送風機
１０  グリル（筐体）
１３  吹出口
１３ａ  上縁部
１３ｂ  下縁部
１３ｃ  受け穴（穴）
１３ｄ  支持枠（受け部）
３２  スクロール部
４８  舌部
６０  フラップ（横羽根）
６５  支柱
６７ａ、６７ｂ  受け溝
７０  ファンガード
７１  ワイヤー
７２、７３  支持体
７５  上当接板
７６  突起
７７  下当接板
８５  縦羽根
８５ａ、８５ｂ  受け部
【図１】
0005507158.tif 000002
【図２】
0005507158.tif 000003
【図３】
0005507158.tif 000004
【図４】
0005507158.tif 000005
【図５】
0005507158.tif 000006
【図６】
0005507158.tif 000007
【図７】
0005507158.tif 000008